(57)【要約】【課題】容器の持ち上がりなく片手操作で安定して蓋の閉じ位置へのロックを解除し蓋をそのまま開けられるようにする。【解決手段】容器１と、容器１の口２の後部に軸３で軸支しその軸支部まわりに開閉できるようにした蓋４とを備えたごみ容器５において、蓋４の前部に軸１１で軸支されてこの軸支部より上方に延びて把持され軸支部まわりに回動操作しまた蓋４の前部を上げ下げする把持部１２と、この把持部１２に一体で前記軸支部より下方に延びて容器１の口２の係合部２ａに側方から係合し蓋４を閉じ状態にロックする位置とこのロックを解除するロック解除位置とに把持部１２によって回動操作される係止部１３とを設け、上記の目的を達成する。【選択図】  図１
2007230726.tif 000002
【特許請求の範囲】
【請求項１】
容器と、この容器の口の後部に軸支しその軸支部まわりに開閉できるようにした蓋とを備えたごみ容器の蓋ロック機構において、
蓋の前部に軸支されてこの軸支部より上方に延びて把持され軸支部まわりに回動操作しまた蓋の前部を上げ下げする把持部と、この把持部に一体で前記軸支部より下方に延びて容器の口部の係合部に側方から係合し蓋を閉じ状態にロックする位置とこのロックを解除するロック解除位置とに把持部によって回動操作される係止部とを設けたことを特徴とするごみ容器の蓋のロック機構。
【請求項２】
蓋には、把持部が係止部をロック解除位置に操作したロック解除状態に仮止めする仮止め部を設けてある請求項１に記載のごみ容器の蓋のロック機構。
【発明の詳細な説明】
【技術分野】
【０００１】
本発明は、容器と、この容器の口の後部に軸支しその軸まわりに開閉できるようにした蓋とを備えたごみ容器の蓋のロック機構に関するものである。
【背景技術】
【０００２】
この種の蓋のロック機構で図８〜図１０に示すようなものが知られ、広く使用されている。このものは、容器ａと、この容器ａの口部の後部に軸支されて開閉できる蓋ｂとを備えたごみ容器において、蓋ｂの前部に軸支されてその軸支部より下方に延びて容器ａの口部の係合部ｃに側方から係合し蓋ｂを閉じ状態にロックする図９に実線で示すロック位置とこのロックを解除する図９に仮想線で示すロック解除位置とに回動できる係止片ｄを設けている。
【０００３】
係止片ｄは前記係合を解除する回動操作のために係止片ｄの背部に係止片ｄの上端軸支部側から下方に延びて前部へ徐々に膨らむ壁からなる操作部ｆを設け、係止片ｄとの二重構造をなしている。これによって係止片ｄは操作から独立できその下端部を容器ａの口の係合部ｃと係合し合うのに適した自由な形状のフック部ｄ１とすることができ、それとは別の壁である前部に張り出した操作部ｆの下端部ｆ１に手を掛けて図９の実線位置から仮想線の位置に回動させることにより蓋ｂの閉じ位置へのロックを解除することができる。
【０００４】
仮想線のようにロックを解除すると操作部ｆはなお手掛り部となって、蓋ｂを図１０の実線の閉じ位置から前部を持ち上げ図１０の仮想線に示すように上方へ開いていくことができる。
【０００５】
蓋ｂを閉じ位置にロックするのは、蓋ｂを図９の仮想線の位置から実線の位置に閉じた後、操作部ｆの外面の膨らみ部を押圧するだけで係止片ｄは図９の仮想線位置から実線位置側に回動され、その最終段階でフック形状部ｄ１が容器ａの口の係合部ｃに前記軸支部のほぼ真下で弾性係合して安定し、ロック状態が得られる。
【発明の開示】
【発明が解決しようとする課題】
【０００６】
しかし、上記した従来の蓋のロック機構では、操作部ｆの下端部ｆ１に手を掛けて係止片ｄの容器ａの口の係合部ｃとの係合を外すという片手操作では、しばしば容器ａが蓋ｂとともに持ち上がる。従って、確実なロック解除のためには、一方の手で操作部ｆを操作するのに併せ、他方の手で蓋ｂの前部を上方から押えておく必要がときとして生じる。
【０００７】
これは、操作部ｆに働く軸ｇを中心とした図８に示すロック解除の操作力Ｆからロック解除方向の操作分力Ｆ１を分解すると、蓋ｂを持ち上げる方向の上向き分力Ｆ２に対して極端に小さいことによる。このため、操作部ｆによるロック解除の操作効率は低く強い力が要求されるし、容器ａの内容量共の重量が軽いほど蓋ｂを押えないとロックは解除できない。つまり、ごみ袋を持ち他方の手でロックを解除し蓋ｂを開いてごみ袋を投入するという一連の動作で投入できない不便を余儀なくされる。
【０００８】
本発明者はこのような不便を解消するのに、種々に実験をし検討を重ねた結果、軸支部から下向きに延びて容器の口の係合部に係合して蓋を閉じ位置にロックする係止部に対し、ロック解除の操作力を特定の条件にて与えることで、上記のような従来の問題を解消することを知見した。
【０００９】
本発明の目的は、このような新たな知見の基に、容器の持ち上がりなく片手操作で安定して蓋の閉じ位置へのロックを解除し蓋をそのまま開けられるごみ容器の蓋のロック機構を提供することにある。
【課題を解決するための手段】
【００１０】
上記の目的を達成するために、本発明のごみ容器の蓋のロック機構は、容器と、この容器の口の後部に軸支しその軸支部まわりに開閉できるようにした蓋とを備えたごみ容器の蓋のロック機構において、蓋の前部に軸支されてこの軸支部より上方に延びて把持され軸支部まわりに回動操作しまた蓋の前部を上げ下げする把持部と、この把持部に一体で前記軸支部より下方に延びて容器の口部の係合部に側方から係合し蓋を閉じ状態にロックする位置とこのロックを解除するロック解除位置とに把持部によって回動操作される係止部とを設けたことを特徴としている。
【００１１】
このような構成では、蓋の前部に軸支され、その軸支部より上方に延びて把持され軸支部まわりに回動操作される把持部に、その回動操作を受けて容器の口の係合部に係合して蓋を閉じ位置にロックするロック位置とロックを解除するロック解除位置との間で回動する係止部を、前記把持部とは反対に軸支部から下向きに延びるように設けた関係から、把持部のロックを解除する操作方向と係止部が容器の口の係合部との係合が外れてロックを解除する動作方向とは軸支部を中心に逆向きになる。つまり、把持部は軸支部を中心に蓋の側に回動しながら、係止部をロック解除方向へ回動させて、従って操作効率よくロックを解除していくのと同時に、前記軸支部まわりの回動で軸支部を介し蓋を容器の口に押し付ける働きをして蓋を閉じ位置に安定させ続けられる。
【００１２】
ロック解除後は把持部を把持したまま蓋を持ち上げて蓋後部での軸支部まわりに前部側を上方へ開いていくことができ、その間把持部は軸支部まわりの蓋の重量バランスの関係から蓋と干渉し合うまでは軸支部から真上に立ち上がる姿勢に安定するので楽に開き操作できる。蓋と干渉して以降はそのままの位置関係にて最後まで蓋を開けられる。開けた蓋を閉じるには把持部を把持して蓋と把持部との蓋閉じ時の場合とは逆の挙動を得ながら、蓋の前部を閉じ側に移動させて蓋を容器の口の上に倒していけばよい。蓋を閉じた後は把持部をロック操作方向に回動させることにより、ロック解除時の場合と同様に、軸支部を介し蓋を閉じ位置に押し付けて安定させながら、係止部をロック側に回動させて、従って操作効率よく係止部を容器の口の係合部と係合させてロックすることができる。
【００１３】
蓋には、把持部が係止部をロック解除位置に操作したロック解除状態に仮止めする仮止め部を設けてある、さらなる構成では、
把持部が蓋に対してロック解除位置まで操作されたときに蓋側の仮止め部と係合することにより、把持部および係止部はロック解除位置に仮止めされて安定し、係止部が不用意に容器の口の係合部に係合してロック状態になることを回避できる。これにより、
ごみの投入が次々続くようなことが予想される状態や時間帯の間は、蓋をロックしないまま使用し続けて投入の利便を図ることができる。
【発明の効果】
【００１４】
本発明のごみ容器の蓋のロック機構によれば、把持部および係止部と軸支部との関係から、把持部の片手による軸支部を中心にしたロック解除操作方向、ロック操作方向のいずれにおいても、操作時の回動で軸支部を介し蓋を容器の口に押し付けて閉じ状態に安定させながら、係止部をロック解除位置、ロック位置の何れにも操作効率よく回動させて、片手による一連の動作としてロック解除とそれに続く蓋開き操作、蓋閉じ動作に続いてのロックとが、他方の手に持ったごミ袋の投入などと併せ楽に行える。
【００１５】
把持部がロック解除位置まで操作されたときに蓋側との間でロック解除位置に仮止めして安定させると、不用意にロック状態にならないので、ごみの投入が次々続くことが予想される状態や時間帯の間は、蓋をロックしないまま使用し続けて投入の利便を図ることができる。
【発明を実施するための最良の形態】
【００１６】
以下、図１〜図８を参照して本発明の実施の形態に係るごみ容器の蓋のロック機構について説明し、本発明の理解に供する。なお、以下に示す実施の形態は本発明を具体化した一例であって、本発明の技術的範囲を限定するものではない。
【００１７】
本実施の形態のごみ容器の蓋のロック機構は、図１、図６、図７に示すように合成樹脂製の容器１と、この容器１の口２の後部に軸３により軸支しその軸支部まわりに開閉できるようにした合成樹脂製の蓋４とを備えた一般的なごみ容器５の場合の一例である。ごみ容器５は平面４角形な形状としているが、これに限られることはなく丸型など種々な形状とすることができる。軸３は容器１の口２の後部左右に設けられた軸受凹部６内に一体成形して、あるいは金属製の別体物を挿入ないしはインサート成形するなどして設けられ、蓋４の後部の引っ掛かり片４ｂを図１に示すように係合させて蓋４を開閉できるように軸支している。もっとも、図５に示すまで開いたときは引っ掛かり片４ｂを軸３から外して蓋４を取り外すことができる。しかし、取り外さずに図５に示す状態から蓋４を後側に傾けると引っ掛かり片４ｂが容器１の口２と軸３との間で斜め向きに引っ掛かり合って蓋４をその開いた傾斜状態に安定させられる。これによって、ごみ袋の投入や投入したごみ袋の取り出しが容易となる。しかし、蓋４は取り外せないものでもよい。
【００１８】
このようなごみ容器５において、蓋４の前部に軸１１により軸支されてこの軸支部より上方に延びて把持され軸支部まわりに回動操作しまた蓋４の前部を上げ下げする合成樹脂製の把持部１２と、この把持部１２と一体成形されて前記軸支部より下方に延び容器１の口２に一体成形された係合部２ａに側方から係合し蓋４を閉じ状態にロックする位置とこのロックを解除するロック解除位置とに把持部１２によって回動操作される係止部１３とを設けた蓋４のロック機構２１を設けたものとしている。
【００１９】
具体的には、図１〜図３に拡大して示すように、把持部１２は軸１１のほぼ上方に位置する軸１１に平行なハンドル部１２ａが軸１１により軸支されたそれと平行な基部１２ｂから左右両側の脚部１２ｃによって立ち上がり軸１１のほぼ上向き、具体的にはやや前方上向きに延びて位置するハンドル形状としてあり、係合部２ａは容器１の口２を外側へ下向きに折り返したフランジ２ｂが形成する下向きな周壁の下縁の一部を下向きに凸な面として形成し、係止部１３の下端にあるフック片１３ａと軸１１のほぼ下方位置にて弾性係合して蓋４を閉じ状態にロックする。軸１１は図３に示すように把持部１２の基部１２ｂの左右両側に外向きに一体成形したものとし、蓋４の前部中央の凹部４ａ内左右側面に一体形成した軸受部４ｃにそのスリット部４ｃ１を通じ無理嵌めして基部１２ｂが凹部４ａ内で軸１１のまわりに揺動できるようにしている。しかし、軸１１を蓋４の凹部４ａの側に、軸受部４ｃを把持部１２の側に、設けるようにしてもよい。また、把持部１２と係止部１３との境界および相互の連続形状は軸１１に対してどのように設定してもよく、ハンドル部１２ａとフック片１３ａとの、側面視して軸１１から上下逆向きに延びる関係を満足しさえすればよい。基部１２ｂの前部には係止部１３を前方から覆う覆い壁１２ｄを有し、把持部１２および係止部１３が蓋ロック位置にあるとき覆い壁１２ｄは凹部４ａの前面とほぼ面一にあり、基部１２ｂの上面が凹部４ａの上面とほぼ面一にあるようにしている。つまり基部１２ｂが覆い壁１２ｄを含み凹部４ａ内すっぽり納まった外観を呈する。この状態で基部１２ａの後部は凹部４ａの底面から浮いた状態にあるようにしている。この浮きは把持部１２がロック解除位置に回動するための余裕と若干の遊びを与えるものである。
【００２０】
以上のように、蓋４の前部に軸１１で軸支され、その軸支部より上方に延びて軸支部まわりに回動操作される把持部１２に、その回動操作を受けて容器１の口２の係合部２ａに係合して蓋４を閉じ位置にロックするロック位置とロックを解除するロック解除位置との間で回動する係止部１３を、前記把持部１２とは反対に軸支部から下向きに延びるように設けた関係から、図１に示すように把持部１２のロックを解除する操作方向Ｘと係止部１３が容器１の口２の係合部２ａとの係合が外れてロックを解除する動作方向Ｙとは軸１１による軸支部を中心に逆向きになる。つまり、把持部１２は軸支部を中心に蓋４の側に回動しながら、係止部１３をロック解除方向へ回動させて、従って操作効率よくロックを解除していくのと同時に、前記軸支部まわりの回動で軸支部を介し蓋４を容器１の口２に押し付ける働きをして蓋４を閉じ位置に安定させ続けられる。
【００２１】
この結果、把持部１２および係止部１３と軸１１による軸支部との関係から、把持部１２の片手による軸支部を中心にしたロック解除操作方向、ロック操作方向のいずれにおいても、操作時の回動で軸支部を介し蓋４を容器１の口２に押し付けて閉じ状態に安定させながら、係止部１３をロック解除位置、ロック位置の何れにも操作効率よく回動させて、片手による一連の動作としてロック解除とそれに続く蓋開き操作、蓋閉じ動作に続いてのロックとが、他方の手に持ったごみ袋の投入などと併せ楽に行える。
【００２２】
図４に実線で示すロック解除後は、把持部１２を把持したまま蓋４を図４の仮想線に示すように持ち上げて図５に示すように軸３まわりに前部側を上方へ開いていくことができ、その間把持部１２は軸３、１１による軸支部まわりの蓋４の重量バランスの関係から蓋４と干渉し合うまでは軸１１による軸支部から真上に立ち上がる姿勢に安定するので楽に開き操作できる。蓋４と干渉して以降はそのままの位置関係にて最後まで蓋４を開けられる。開けた蓋４を閉じるには把持部１２を把持して蓋４と把持部１２との蓋閉じ時の場合とは逆の挙動を得ながら、蓋４の前部を閉じ側に移動させて蓋４を容器１の口２の上に倒していけばよい。
【００２３】
蓋４を図４に実線で示す状態に閉じた後は、把持部１２をロック操作方向反Ｘに回動させることにより、ロック解除時の場合と同様に、軸１１による軸支部を介し蓋４を閉じ位置に押し付けて安定させながら、係止部１３をロック側に回動させて、従って操作効率よく係止部１３を図４に実線で示すように容器１の口２の係合部２ａに係合させてロックすることができる。
【００２４】
さらに、蓋４には図１に示すように、把持部１２が係止部１３をロック解除位置に操作したロック解除状態時図４に示すように弾性係合して仮止めする仮止め部３１を設けてあり、仮止め部３１は凹部４ａの底部から立ち上がる係止片形状をなし、ロック解除位置に操作された把持部１２の基部２ｂの後部下縁に一体形成した係合部１２ｆと係合し合うようにしてある。これにより、把持部１２が蓋４に対してロック解除位置まで操作されたときに蓋４側の仮止め部３１と係合することにより、把持部１２および係止部１３はロック解除位置に仮止めされて安定し、係止部１３が不用意に容器１の口２の係合部２ａに係合してロック状態になることを回避できる。従って、把持部１２がロック解除位置まで操作されたときに蓋４側との間でロック解除位置に仮止めして安定させると、不用意にロック状態にならないので、ごみの投入が次々続くことが予想される状態や時間帯の間は、蓋をロックしないまま使用し続けて投入の利便を図ることができる。
【産業上の利用可能性】
【００２５】
本発明は、ごみ容器の蓋のロックに適用して、片手操作でロックを解除しそのまま蓋を開けられる使用に便利なものとする。
【図面の簡単な説明】
【００２６】
【図１】本発明の実施の形態に係るごみ容器の蓋のロック機構を示すごみ容器の蓋ロック機構部断面図である。
【図２】図１の左右方向半部を示す平面図である。
【図３】図１、図２のロック機構部の分解斜視図である。
【図４】図１〜図３のロック機構を持ったごみ容器の口部および蓋部の閉じ状態、半開き状態を実線および仮想線で示す断面図である。
【図５】図４のごみ容器の蓋開き状態を示す断面図である。
【図６】図１のごみ容器の全体の断面図である。
【図７】図６のごみ容器の平面図である。
【図８】従来のごみ容器の蓋閉じ状態を示す断面図である。
【図９】図８のごみ容器の蓋のロック機構部のロック状態とロック解除状態とを実線と仮想線とで示す断面図である。
【図１０】図８のごみ容器のロック解除状態から蓋開き開始状態を実線と仮想線とで示す断面図である。
【符号の説明】
【００２７】
１  容器
２  口
２ａ  係合部
３、１１  軸
４  蓋
４ｂ  引っ掛かり片
４ａ  凹部
５  ごみ容器
１２  把持部
１２ａ  ハンドル部
１２ｆ  係合部
１３  係止部
１３ａ  フック片
２１  ロック機構
３１  仮止め部
【図１】
2007230726.tif 000003
【図２】
2007230726.tif 000004
【図３】
2007230726.tif 000005
【図４】
2007230726.tif 000006
【図５】
2007230726.tif 000007
【図６】
2007230726.tif 000008
【図７】
2007230726.tif 000009
【図８】
2007230726.tif 000010
【図９】
2007230726.tif 000011
【図１０】
2007230726.tif 000012